(57)【要約】      （修正有）【課題】ドライバーヘッドのマグネットセット構造を提供する。【解決手段】ドライバーヘッド５０のマグネットセット構造Ａは、筒状体４０、磁性体６０及び少なくとも二つのフレキシブル位置決め爪７０を含み、筒状体は、貫通嵌め孔４１を有し、筒状体の第一側は、磁性体嵌合槽４２を有する。磁性体は、磁性体嵌合槽の中に組み合わせ、位置が決められる。少なくとも二つのフレキシブル位置決め爪は、筒状体の第二側に一体成形され、フレキシブルセクション７１及び位置決めフランジを有し、位置決めフランジは、内向きに筒状体の貫通嵌め孔の中に突出するように設けられる。【選択図】図３
0003141879.tif 000002
【実用新案登録請求の範囲】
【請求項１】
ドライバーヘッドのマグネットセット構造であって、
前記ドライバーヘッドに嵌められるために用いられる貫通嵌め孔を有する筒状体であって、当該筒状体の第一側は、磁性体嵌合槽を有する筒状体と、
前記磁性体嵌合槽の中に組み合わせ、位置を決めるために用いられる磁性体と、
前記筒状体の第二側に一体成形される少なくとも二つのフレキシブル位置決め爪であって、当該各フレキシブル位置決め爪は、フレキシブルセクション及び位置決めフランジを有し、当該位置決めフランジは、内向きに前記筒状体の貫通嵌め孔の中に突出する少なくとも二つのフレキシブル位置決め爪と、
を含む、
ことを特徴とするドライバーヘッドのマグネットセット構造。
【請求項２】
前記筒状体にある磁性体嵌合槽の槽口は、三角形断面型内凸リング縁を有するように設けられ、対応する磁性体の当該側周辺にある逆角リング縁は、前記内凸リング縁に合わせるようになる、
ことを特徴とする請求項１に記載のドライバーヘッドのマグネットセット構造。
【請求項３】
前記筒状体は、プラスチック材より一体成形により形成され、前記筒状体の第二側には、前記筒状体の伸びた方向沿いに間隔を置いた複数の槽が形成され、当該各槽の間には、対応する前記フレキシブル位置決め爪が設けられる、
ことを特徴とする請求項１に記載のドライバーヘッドのマグネットセット構造。
【請求項４】
前記ドライバーヘッドの所定位置には、錐状リング凹槽が設けられ、当該錐状リング凹槽に近いドライバーヘッド末端の当該端には、嵌止め壁があり、前記フレキシブル位置決め爪の位置決めフランジを当該嵌止め壁にもたれさせ、前記マグネットセット構造の位置を決め、滑らせないようにする、
ことを特徴とする請求項１に記載のドライバーヘッドのマグネットセット構造。
【考案の詳細な説明】
【技術分野】
【０００１】
本考案は、ドライバーヘッドに関し、特にドライバーヘッドのマグネットセット構造に関する。
【背景技術】
【０００２】
従来のドライバーは使用時、ドライバーヘッドをネジヘッド形の嵌め槽に差し込むようになっており、その緊密性がよくないので、移動中にネジが落下しがちで、作業の進捗に影響を及ぼす。磁力設計があるが、それはドライバーヘッドのところに限られており、吸着力が弱く、磁性の持続力が長くない、という問題点が残される。それを鑑みて、本考案者は、以前スライド式マグネットセット構造を研究開発したが、その具体的な構造は図１に示すように、筒状本体１０が設けられており、前記筒状本体１０は、ドライバーヘッド２０の外周に嵌めるための嵌め孔１１があり、それによりスライドできるようになり、筒状本体１０のヘッド部に磁性体３０があり、そして、筒状本体１０の嵌め孔１１内に設置空間１２があり、前記設置空間１２に嵌止め縁１３がある。磁性体３０の中央に貫通孔３１があり、それによりドライバーヘッド２０の外周に嵌められる。筒状本体１０の設置空間１２の中に錐状スプリング１４があり、前記錐状スプリング１４の拡大側１４１は、設置空間１２にある嵌止め縁１３に突っ込み、錐状スプリング１４の縮小側１４２は、ドライバーヘッド２０にあるスロット部２１に突っ込んでおり、それにより、前記筒状本体１０のスライド位置が決められ、無断に滑り落ちないようにする。但し、この従来の構造は、実際の使用経験から以下の問題点があることが分かった。
【０００３】
従来のマグネットセットの位置決め機能は、増設の前記錐状スプリング１４で実現されるようになるため、部品増設により実現されたマグネットセットの位置決め機能については、製造上から見れば、材料コストが明らかに増えており、製造過程の組立てから言えば、前記錐状スプリング１４は、別途の人力作業で筒状本体１０の設置空間１２とドライバーヘッド２０にあるスロット部２１の間に設けるため、組立コストの増加になり、また、前記錐状スプリング１４は組立過程中で、前記縮小側１４２は無理にドライバーヘッド２０の端部を通らせるとき、損壊や変形する可能性が相当に大きくて、不良率が高く、品質管理が困難になるという問題点がある。ユーザの視点から見れば、前記錐状スプリング１４は一定期間使用後、錆びが生じたり、嵌められたり、弾力疲労が形成されたりなどの損壊が起こり、耐用性が悪いという欠点がある。そこで、従来のドライバーヘッドのマグネットセット構造に存在する問題点を知った上、より理想で、実用性があるオリジナル装置が開発されることは、当業者達が努力して、研究開発、突破すべき目標と方向である。
【０００４】
それを鑑みて、考案者はその関連製品の製造開発及び設計に関して長年の経験を持っており、上述の目標に向けて、詳しく設計、検討評価をした上、実用性のある本考案を得られたわけである。
【考案の開示】
【考案が解決しようとする課題】
【０００５】
本考案の目的は、ドライバーヘッドのマグネットセット構造を提供することにある。
【０００６】
本考案が解決しようとする課題は、従来のドライバーヘッドのマグネットセット構造の設計に材料や組立コストが増え、不良率が高く、耐用性が悪いなどの問題点があり、それらを改良、突破することである。
【課題を解決するための手段】
【０００７】
本考案は、前記課題を解決するための技術手段として、前記マグネットセットを提供することであり、筒状体が設けられ、貫通嵌め孔があり、それによりドライバーヘッドに嵌められるようになり、筒状体の第一側は磁性体嵌合槽を有する。磁性体が設けられ、前記磁性体嵌合槽の中に組み合わせ、位置が決められる。少なくとも二つのフレキシブル位置決め爪が設けられており、前記筒状体の第二側に一体成形され、前記フレキシブル位置決め爪は、フレキシブルセクション及び位置決めフランジを有し、前記位置決めフランジは、内向きに筒状体の貫通嵌め孔の中に突出することを特徴とするものである。
【考案の効果】
【０００８】
本考案は、従来の技術に比較すると、次のような効果が達成できる。
【０００９】
組立部品が簡単化し、組立時に筒状体を直接にドライバーヘッドに組み立てると、位置が決められ、滑り落ちないようになり、製造コストが削減、組立効率が向上、品質がよりよい産業利用効果を有する。
【００１０】
また、フレキシブル位置決め爪は、マグネットセットの筒状体と一体成形したもので、構造の強度がよく、耐久耐用性によく、使用寿命が延びる実用性及び進歩性を有する。
【考案を実施するための最良の形態】
【００１１】
次に、添付した図面を参照しながら、本考案の好適な実施形態を詳細に説明する。
【００１２】
図２〜図５は、本考案であるドライバーヘッドのマグネットセット構造の好適な実施例であり、これらの実施例は説明用に使われるのみであるが、この構造に制限されることがない。
【００１３】
図２〜図５に示すように、マグネットセットＡは、筒状体４０と、磁性体６０と、少なくとも二つのフレキシブル位置決め爪７０とを有する。
【００１４】
筒状体４０は、貫通嵌め孔４１を有し、それによりドライバーヘッド５０に嵌められるようになり、また、前記筒状体４０の第一側は磁性体嵌合槽４２を有する。
【００１５】
磁性体６０は、前記筒状体４０にある磁性体嵌合槽の中４２に組み合わせ、位置が決められる。
【００１６】
少なくとも二つのフレキシブル位置決め爪７０は、前記筒状体４０の第二側に一体成形され、前記フレキシブル位置決め爪７０は、フレキシブルセクション７１及び位置決めフランジ７２を有し、前記位置決めフランジ７２は、内向きに筒状体４０の貫通嵌め孔４１の中に突出している。
【００１７】
前記筒状体４０にある磁性体嵌合槽４２の槽口は、大よそ三角形断面型内凸リング縁４３に設けられ、それにより、それに対応する磁性体６０の当該側周辺にある逆角リング縁６１は、前記内凸リング縁に合わせるようになる。
【００１８】
前記筒状体４０は、プラスチック材より一体成形により形成され、その第二側は筒状体４０の伸びた方向沿いに間隔を置いた複数の槽４４が形成され、それにより、各槽４４の間に相対する前記フレキシブル位置決め爪７０（例えば、三爪、四爪等の設置数量）が設けられる。
【００１９】
前記ドライバーヘッド５０の所定位置には、錐状リング凹槽５１が設けられ、しかも、錐状リング凹槽５０に近いドライバーヘッド５０の末端５２の当該端に嵌止め壁５３があり、それによりフレキシブル位置決め爪７０の位置決めフランジ７２を嵌止め壁５３にもたれさせ、マグネットセットＡの位置を決め、滑らせないようにする。
【００２０】
上述の構造、組合設計により、本考案の実施作動状況は次のように説明する。
【００２１】
図５に示すように、前記マグネットセットＡをドライバーヘッド５０に組み合わせるとき、前記筒状体４０のフレキシブル位置決め爪７０は、外向きに柔軟に広げられ（矢印Ｌ１）、筒状体４０にドライバーヘッド５０の末端５２のセクションを無理でも通らせて、ドライバーヘッド５０のバー方向へ滑らすようにする（矢印Ｌ２）。また、図６に示すように、前記筒状体４０がドライバーヘッド５０にある錐状リング凹槽５１にスライドしたとき、フレキシブル位置決め爪７０の位置決めフランジ７２は、錐状リング凹槽５１の片側の嵌止め壁５３に突っ込むようになり、それにより、位置が決められ、マグネットセットＡが外へ継続に移動せず、滑り落ちないようになる。
【００２２】
説明を補充しておくが、本考案に開示されるマグネットセットＡの実際応用では、図２に示すように、手動式ドライバーのドライバーヘッド５０に使用するほかに、図７に示すマグネットセットＡのように、電動ドライバーのドライバーヘッド５０Ｂに組み合わせた構造の使用状況もあり、そこで、同様にマグネット補助としてネジを安定する効果がある。
【００２３】
本考案は次のような効果を向上させることができる。
【００２４】
本考案に開示するドライバーヘッドのマグネットセット構造は、前記マグネットセットの筒状体の一体成形によるフレキシブル位置決め爪のオリジナル設計であり、従来の技術における従来の構造に比較すれば、錐状スプリング部品の設置製造は更に簡単化し、組立時に筒状体を直接にドライバーヘッドに組み立てると、位置が決められ、滑り落ちないようになり、製造コストが削減、組立の効率と品質が向上され、よりよい産業利用効果を持つものになる。
【００２５】
フレキシブル位置決め爪は、マグネットセットの筒状体と一体成形したもので、構造上の強度がよいため、マグネットセットの耐久耐用性がよく、使用寿命が延びる実用性及び進歩性を有するものである。
【００２６】
また、本考案は次のような新しい効果を有する。
【００２７】
前記筒状体にある磁性体嵌合槽の槽口は、内凸リング縁があり、それに対応する磁性体の当該側周辺にある逆角リング縁は、内凸リング縁に合わせるように設けられる構造設計で、磁性体を磁性体嵌合槽に組み立てると、位置が決められ、滑り落ちないようになり、組立がより便利で、効率が向上される進歩性があるものになる。
【００２８】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２９】
【図１】従来の構造の組合せ断面図である。
【図２】本考案の構造の好適な実施例の組合せ斜視図である。
【図３】本考案の構造の好適な実施例の分解斜視図である。
【図４】本考案の構造の好適な実施例の分解断面図である。
【図５】本考案の構造の好適な実施例の組合せ断面図である。
【図６】本考案の実施の作動のイメージを示す図である。
【図７】本考案のマグネットセットが電動起具ドライバーヘッド構造に応用される実施例を示す図である。
【符号の説明】
【００３０】
１０  筒状本体
１１  嵌め孔
１２  設置空間
１３  嵌止め縁
１４  錐状スプリング
１４１  拡大側
１４２  縮小側
２０  ドライバーヘッド
２１  スロット部
３０  磁性体
３１  貫通孔
Ａ  マグネットセット
４０  筒状体
４１  貫通嵌め孔
４２  磁性体嵌合槽
４３  内凸リング縁
４４  槽
５０、５０Ｂ  ドライバーヘッド
５１  錐状リング凹槽
５２  末端
５３  嵌止め壁
６０  磁性体
６１  逆角リング縁
７０  フレキシブル位置決め爪
７１  フレキシブルセクション
７２  位置決めフランジ
【図１】
0003141879.tif 000003
【図２】
0003141879.tif 000004
【図３】
0003141879.tif 000005
【図４】
0003141879.tif 000006
【図５】
0003141879.tif 000007
【図６】
0003141879.tif 000008
【図７】
0003141879.tif 000009